(57)【要約】【課題】小型化した撮像装置に適したボタン・スイッチ等のレイアウトと、その操作性の向上を図ること。【解決手段】被写体を撮像する撮像装置において、撮像光学系の略光軸上に撮影又は再生時に使用される操作部材を配置する。又、被写体を撮像する撮像装置において、対物レンズ側と反対側の光軸後方近傍に撮影又は再生時に使用される操作部材を配置する。ここで、前記操作部材は、トリガースイッチ、ズームスイッチ又はモード選択スイッチであることを特徴とする。又、前記操作部材が対物レンズ側と反対側の光軸後方近傍にある撮像光学系の光軸と直交しない面内に配置されたことを特徴とする。【選択図】図１
2006020220.tif 000002
【特許請求の範囲】
【請求項１】
被写体を撮像する撮像装置において、
撮像光学系の略光軸上に撮影又は再生時に使用される操作部材が配置されたことを特徴とする撮像装置。
【請求項２】
被写体を撮像する撮像装置において、
対物レンズ側と反対側の光軸後方近傍に撮影又は再生時に使用される操作部材が配置されたことを特徴とする撮像装置。
【請求項３】
前記操作部材は、トリガースイッチであることを特徴とする請求項１又は２記載の撮像装置。
【請求項４】
前記操作部材は、ズームスイッチあることを特徴とする請求項１又は２記載の撮像装置。
【請求項５】
前記操作部材は、モード選択スイッチであることを特徴とする請求項１又は２記載の撮像装置。
【請求項６】
前記操作部材が対物レンズ側と反対側の光軸後方近傍にある撮像光学系の光軸と直交しない面内に配置されたことを特徴とする請求項１〜５の何れかに記載の撮像装置。
【発明の詳細な説明】
【技術分野】
【０００１】
本発明は、撮像装置におけるボタン・スイッチ等の操作部材のレイアウトに関する。
【背景技術】
【０００２】
近年、撮像装置は携帯時の利便性等の理由から小型化が進んでいる。それに伴い、撮像装置の把持の仕方や、撮像装置各部位のレイアウトも小型化した撮像装置に適した形へと変化していっている。図４（ａ）〜（ｄ）に従来の縦型の撮像装置（ここでは、ビデオカメラ）の一例を示す。図４（ｄ）は従来の縦型の撮像装置を把持している状態を示す。
【０００３】
４０１は従来の撮像装置の本体、４０２は撮像光学系、４０３はビューファインダ、４０４は撮影をスタート／ストップするトリガースイッチ、４０５は液晶モニタ等の表示装置、４０６は電源供給部、４０７は記録装置、４０８はズームスイッチ、４０９は静止画記録ボタン、４１０は撮影者の手をそれぞれ示す。
【０００４】
従来の縦型の撮像装置のレイアウトは、撮像装置本体の上部に撮像光学系４０２、撮像光学系の光軸後方にビューファインダ４０３、レンズ正面から見て撮像装置本体の一方の側面に撮影した映像等の情報を表示する液晶モニタ等の表示装置４０５と各部位に電力を供給する電源供給部４０６、レンズ正面から見て撮像装置本体の他方の側面に撮影した映像等の情報を記録する記録装置４０７、その上方レンズよりの位置にズームスイッチ４０８と静止画記録ボタン４０９、レンズ正面から見て撮像装置本体の背面中央付近に撮影をスタート／ストップするトリガースイッチが配置されている。
【０００５】
又、図４（ｄ）の従来の縦型の撮像装置の把持の仕方によると、撮像装置本体を右手の手の平・中指・薬指・小指でしっかりと支え、右手人差し指でズームスイッチ・静止画録画ボタンを操作し、右手親指でトリガースイッチを操作することとなる。
【０００６】
【特許文献１】特開平１０−１５５１００号公報
【発明の開示】
【発明が解決しようとする課題】
【０００７】
しかし、更に撮像装置の小型化が進み、前記レイアウトをそのまま小型化した場合、前記ボタン・スイッチ等を操作しにくくなるので、小型化した撮像装置に適したボタン・スイッチ等のレイアウトが新たに必要となる。特に、前記レイアウトによると、トリガースイッチは本体背面中央付近に配置されているが、その配置のまま撮像装置を小型化すると、トリガースイッチの位置が下に下がることとなり、本体を把持する手の親指の位置と、トリガースイッチの位置が合わなくなる。すると、ユーザーはトリガースイッチを操作するたびに、撮影時の親指の位置から親指を大きく動かさなくてはならなくなる。この操作はとても手間が掛かるのと同時にユーザーにストレスを与え、更に親指を大きく動かすことで、撮像装置本体を支えている手のひら（親指の付け根の先の部分）も動いてしまうので、手ぶれの原因にも繋がる。
【０００８】
そこで、本発明の目的とする処は、小型化した撮像装置に適したボタン・スイッチ等のレイアウトと、その操作性の向上を図ることにある。
【課題を解決するための手段】
【０００９】
上述した目的を達成するため、請求項１に係る発明は、被写体を撮像する撮像装置において、撮像光学系の略光軸上に撮影又は再生時に使用される操作部材が配置されたことを特徴とする。
【００１０】
請求項２記載の発明は、被写体を撮像する撮像装置において、対物レンズ側と反対側の光軸後方近傍に撮影又は再生時に使用される操作部材が配置されたことを特徴とする。
【００１１】
請求項３記載の発明は、請求項１又は２記載の発明において、前記操作部材は、トリガースイッチであることを特徴とする。
請求項４記載の発明は、請求項１又は２記載の発明において、前記操作部材は、ズームスイッチあることを特徴とする。
【００１２】
請求項５記載の発明は、請求項１又は２記載の発明において、前記操作部材は、モード選択スイッチであることを特徴とする。
【００１３】
請求項６記載の発明は、請求項１〜５の何れかに記載の発明において、前記操作部材が対物レンズ側と反対側の光軸後方近傍にある撮像光学系の光軸と直交しない面内に配置されたことを特徴とする。
【発明の効果】
【００１４】
本発明によれば、以下のような効果が得られる。
（１）小型化した撮像装置に適したボタン・スイッチ等のレイアウトを実現することができる。
（２）小型化した撮像装置におけるボタン・スイッチ等の操作性の向上を図ることができる。
（３）光軸近傍にボタン・スイッチを配置することによって手振れを防止することができる。
【発明を実施するための最良の形態】
【００１５】
以下に本発明の実施形態を添付図面に基づいて説明する。
【００１６】
＜実施の形態１＞
本実施の形態においては、縦型の撮像装置に関して説明する。
【００１７】
図１（ａ）〜（ｄ）に縦型の撮像装置の一例を示す。図１（ｄ）は縦型の撮像装置を把持している様子を示す。１０１は縦型の撮像装置本体、１０２は撮像光学系、１０３は撮影をスタート／ストップするためのトリガースイッチ、１０４は表示装置、１０５は記録装置、１０６は電源供給部、１０７はズームスイッチ、１０８は静止画記録ボタン、１０９は動画／静止画モード切替ボタン、１１０は光軸と直交しない面、１１１は撮影者の手をそれぞれ示す。図２（ｄ）の把持の仕方によると、撮像装置を右手全体で把持する形となる。撮像光学系と把持する手の位置関係から、撮像光学系は把持する手に掛からないよう撮像装置本体の上部に配置するのが適当となる。
【００１８】
又、撮像装置を右手で把持した場合、レンズから見て撮像装置本体の左側の面が右手の手の平で覆われることになるため、撮影時に操作することのない記録装置１０７を配置するのが適当となる。又、撮影時に使用する頻度の高い表示装置１０４は、レンズから見て右側の面（手のひらで覆われない面）に配置するのが適当となる。
【００１９】
又、電源供給部は撮像装置本体を把持する邪魔にならない程度に小型化した場合、レンズ正面から見て撮像装置本体左側に配置するのが適当となる。又、レンズ正面から見て撮像装置本体左側上部のレンズ光軸近傍の、撮像装置を把持した手の人差し指で操作できる位置にズームスイッチ１０７と静止画記録ボタン１０８と動画／静止画モード切替ボタン１０９を配置する。
【００２０】
又、トリガースイッチ１０３はレンズ正面から見て撮像装置本体の背面上部、撮像光学系の光軸後方の従来ビューファインダが配置されていた位置に配置する。これは、撮像装置本体を把持する手の親指の付け根の延長線上で撮像装置本体を支え、その状態において親指でトリガースイッチを操作できる位置に配置したことによる。この際、親指が親指の付け根を軸に回転運動することを考慮し、撮像光学系光軸後方に光軸と直交しない面１１０を設け、そこへトリガースイッチを配置することで、トリガースイッチの操作性を向上させることができる。尚、以上の説明では、ズームスイッチ１０７・静止画記録ボタン１０８を図の部分に配置したが、１１０のところに持ってきても良い。
【００２１】
尚、１１０は光軸に直交していても良い。ズームスイッチ、静止画記録ボタン、トリガースイッチ等の撮影時に使用するスイッチ、又は再生時に使用するスイッチを撮像光学系の光軸上、又は光軸後方・近傍に配置することによって、手振れ防止の効果を得ることができる。
【００２２】
これらのことから、図２（ｄ）の把持の仕方で図２に示す撮像装置を使用する場合は、撮像装置本体を、把持した手の手のひら・中指・薬指・小指で支え、把持した手の親指でトリガースイッチ１０３を押して撮影を開始し、把持した手の人差し指でズームスイッチ１０７や静止画記録ボタン１０８や動画／静止画モード切替ボタン１０９を操作し、把持した手の親指でトリガースイッチ１０３を押して撮影終了というように、本体を支えている手を動かすことなく撮像装置をスムーズに扱うことができる。尚、以上の説明ではビデオカメラを例に挙げたが、スチルカメラのように撮像素子を用いるカメラであればどのような構成であっても適用できるのは言うまでもない。
【００２３】
＜実施の形態２＞
本実施の形態においては、図２（ａ），（ｂ）を用いて説明する。
【００２４】
図２（ａ）は前記実施の形態１においての１１０の面に、動画・静止画・スタート／ストップボタン２０１とモード選択スイッチ２０２を配置した図、同図（ｂ）はその斜視図である。
【００２５】
把持の仕方は基本的に図１（ｄ）と同じで、撮像装置を把持した手の親指で２０１と２０２操作する。ユーザーは先ず２０２にて、動画モード・静止画モード・再生モード・ストップを選択することができ、２０１を押すことで動画や静止画の撮影をスタート／ストップ、記録した情報を再生をスタート／ストップすることができる。２０１と２０２等の撮影・再生に必要なスイッチを１１０の面に配置することによって、ユーザーは撮像装置を把持している手を動かすことなく、親指だけでスムーズに撮影や再生を行うことができる。
【００２６】
＜実施の形態３＞
本実施形態においては、図３（ａ）〜（ｄ）を用いて説明する。
【００２７】
図３（ａ）は前記実施の形態１においての１１０の面に、トリガー・ズーム・選択兼用スイッチ３０１を配置した図、同図（ｂ）はその斜視図である。
【００２８】
把持の仕方は基本的に図１（ｄ）と同じで、撮像装置を把持した手の親指で３０１を操作する。３０１の真中を押下することで、動画・静止画等の撮影をスタート／ストップすることができ、又、撮影モード等で上下又は左右のキーを押すと、ズームを行うことができる。又、メニューモード等では上下左右のキーを選択キーとして使え、３０１を押下することで決定等を行うことができる。
【００２９】
図３（ｃ）は前記実施の形態１においての１１０の面に、トリガースイッチ３０２とズームスイッチ３０３を配置した図である。３０２を押すことで撮影や再生をスタート／ストップすることができ、又、３０３にてズームを行うことができる。尚、実施の形態１〜実施の形態３を組み合わせて使用することができるのは言うまでもない。
【図面の簡単な説明】
【００３０】
【図１】（ａ）〜（ｄ）は本発明の実施例の形態１に係る撮像装置を示す図である。
【図２】（ａ）〜（ｂ）は本発明の実施の形態２に係るスイッチを示す図である。
【図３】（ａ）〜（ｄ）は本発明の実施の形態３に係るスイッチを示す図である。
【図４】従来の縦型の撮像装置を示す図である。
【符号の説明】
【００３１】
１０１  撮像装置本体
１０２  撮像光学系
１０３  トリガースイッチ
１０４  表示装置
１０５  記録装置
１０６  電源供給部
１０７  ズームスイッチ
１０８  静止画記録ボタン
１０９  動画／静止画モード切替ボタン
１１０  光軸と直行しない面
１１１  撮影者の手
２０１  動画・静止画のスタート／ストップ兼用ボタン
２０２  モード選択スイッチ
３０１  トリガー・ズーム・選択兼用スイッチ
３０２  トリガースイッチ
３０３  ズームスイッチ
４０１  撮像装置本体
４０２  撮像光学系
４０３  ビューファインダ
４０４  トリガースイッチ
４０５  表示装置
４０６  電源供給部
４０７  記録装置
４０８  ズームスイッチ
４０９  静止画記録ボタン
４１０  撮影者の手
【図１】
2006020220.tif 000003
【図２】
2006020220.tif 000004
【図３】
2006020220.tif 000005
【図４】
2006020220.tif 000006